(57)【要約】【課題】操作体の形状と位置とに基づいて、表示されている画像の全部または一部の領域を出力する指示を受付ける。【解決手段】表示部１４は、制御部１１の制御の下、画像を表示する。検知部１５１は、表示部１４に対して操作される操作体を検知し、その形状および位置をそれぞれ示す情報を制御部１１に供給する。特定部１１０は、検知部１５１が検知した操作体の形状を示す情報を検知部１５１から受取ると、この形状に基づいて利用者が操作体を用いて示した指示の内容を特定する。決定部１１１は、検知部１５１が検知した操作体の位置を示す情報を検知部１５１から受取ると、この操作体の位置に基づいて画像における領域を決定する。特定部１１０が特定した指示が、決定部１１１で決定された領域に含まれる画像を示す画像データの出力の指示である場合に、出力部１１２は、通信部１３を介して画像処理装置３にこの画像データを出力する。【選択図】図４
2018025992.tif 000002
【特許請求の範囲】
【請求項１】
画像を表示する表示部と、
前記表示部を操作する操作体を検知する検知部と、
前記検知部で検知した前記操作体の形状が出力指示を示す場合に、前記操作体を検知した位置から前記画像の出力領域を決定して制御する出力制御部と、
を有する情報処理装置。
【請求項２】
前記操作体の形状は、前記画像を利用することで実行できる各々の機能を有した機器を操作する形状であることを特徴とする請求項１に記載の情報処理装置。
【請求項３】
前記出力制御部が出力領域を決定した場合、前記機器の画像を前記表示部に表示させる
ことを特徴とする請求項２に記載の情報処理装置。
【請求項４】
前記機器の画像は、前記出力領域の出力先となる前記機器の画像と紐付いている
ことを特徴とする請求項３に記載の情報処理装置。
【請求項５】
前記機器の画像は、前記出力指示の実行が完了すると前記表示部から消える
ことを特徴とする請求項３または４に記載の情報処理装置。
【請求項６】
前記出力領域が決定された後に検知された前記操作体の動作に基づいて該出力領域を調整する調整部、を有し、
前記出力制御部は、調整された前記出力領域に含まれる前記画像を出力する
ことを特徴とする請求項１から５のいずれか１項に記載の情報処理装置。
【請求項７】
前記出力領域が決定された後に検知された前記操作体の動作に基づいて前記画像の出力に関する設定を受付ける受付部、を有し、
前記出力制御部は、受付けられた前記設定に応じて前記画像を出力する
ことを特徴とする請求項１から６のいずれか１項に記載の情報処理装置。
【請求項８】
前記表示部は、前記出力領域を表示する、
ことを特徴とする請求項１から７のいずれか１項に記載の情報処理装置。
【請求項９】
前記出力制御部は、決定した前記出力領域の色を変化させて該出力領域を前記表示部に表示させる
ことを特徴とする請求項１から８のいずれか１項に記載の情報処理装置。
【請求項１０】
前記設定を報知する報知部、
を有することを特徴とする請求項７に記載の情報処理装置。
【請求項１１】
前記設定は、前記画像の前記出力領域の出力先を定める
ことを特徴とする請求項７に記載の情報処理装置。
【請求項１２】
前記表示部は、前記出力制御部が前記画像を出力する複数の出力先が設置されている場所の自装置に対する方向に対応する位置に、該出力先を識別する識別画像をそれぞれ表示し、
前記受付部は、表示された前記識別画像に対する前記操作体の動作に基づいて、複数の出力先のうち一の出力先を選択する設定を受付ける
ことを特徴とする請求項７に記載の情報処理装置。
【請求項１３】
画像を表示する表示部と、
前記表示部を操作する操作体を検知する検知部と、
を有するコンピュータを、
前記検知部で検知した前記操作体の形状が出力指示を示す場合に、前記操作体を検知した位置から前記画像の出力領域を決定して制御する出力制御部、
として機能させるためのプログラム。
【発明の詳細な説明】
【技術分野】
【０００１】
本発明は、情報処理装置およびプログラムに関する。
【背景技術】
【０００２】
特許文献１には、スタイラスペン等の操作用外部機器を保持する保持手段と、その操作用外部機器が保持手段に保持されているか否か等を判別する判別手段とを有する電子機器であって、ウェブページをディスプレイに表示している状態が継続しているときに、操作用外部機器が保持手段に保持されている状態から保持されていない状態に変化した状態変化を検知すると、ディスプレイに表示されている情報をキャプチャして画像データを生成し、生成した画像データに対する編集を受付ける電子機器が開示されている。
【先行技術文献】
【特許文献】
【０００３】
【特許文献１】特開２０１５−３２２１５号公報
【発明の概要】
【発明が解決しようとする課題】
【０００４】
操作体の形状と位置とに基づいて、表示されている画像の全部または一部の領域を出力する指示を受付ける情報処理装置を提供することを目的とする。
【課題を解決するための手段】
【０００５】
上述した課題を解決するため、本発明の請求項１に係る情報処理装置は、画像を表示する表示部と、前記表示部を操作する操作体を検知する検知部と、前記検知部で検知した前記操作体の形状が出力指示を示す場合に、前記操作体を検知した位置から前記画像の出力領域を決定して制御する出力制御部と、を有する。
【０００６】
本発明の請求項２に係る情報処理装置は、請求項１に記載の態様において、前記操作体の形状は、前記画像を利用することで実行できる各々の機能を有した機器を操作する形状であることを特徴とする。
【０００７】
本発明の請求項３に係る情報処理装置は、請求項２に記載の態様において、前記出力制御部が出力領域を決定した場合、前記機器の画像を前記表示部に表示させることを特徴とする。
【０００８】
本発明の請求項４に係る情報処理装置は、請求項３に記載の態様において、前記機器の画像は、前記出力領域の出力先となる前記機器の画像と紐付いていることを特徴とする。
【０００９】
本発明の請求項５に係る情報処理装置は、請求項３または４に記載の態様において、前記機器の画像は、前記出力指示の実行が完了すると前記表示部から消えることを特徴とする。
【００１０】
本発明の請求項６に係る情報処理装置は、請求項１から５のいずれか１項に記載の態様において、前記領域が決定された後に検知された前記操作体の動作に基づいて該領域を調整する調整部、を有し、前記出力部は、調整された前記領域に含まれる前記画像を示す前記画像データを出力することを特徴とする。
【００１１】
本発明の請求項７に係る情報処理装置は、請求項１から６のいずれか１項に記載の態様において、前記領域が決定された後に検知された前記操作体の動作に基づいて前記画像データの出力に関する設定を受付ける受付部、を有し、前記出力制御部は、受付けられた前記設定に応じて前記画像データを出力することを特徴とする。
【００１２】
本発明の請求項８に係る情報処理装置は、請求項１から７のいずれか１項に記載の態様において、前記表示部は、前記領域を表示する、ことを特徴とする。
【００１３】
本発明の請求項９に係る画像形成装置は、請求項１から８のいずれか１項に記載の態様において、前記出力制御部は、決定した前記出力領域の色を変化させて該出力領域を前記表示部に表示させることを特徴とする。
【００１４】
本発明の請求項１０に係る情報処理装置は、請求項７に記載の態様において、前記設定を報知する報知部、を有することを特徴とする。
【００１５】
本発明の請求項１１に係る情報処理装置は、請求項７に記載の態様において、前記設定は、前記画像の前記出力領域の出力先を定めることを特徴とする。
【００１６】
本発明の請求項１２に係る情報処理装置は、請求項７に記載の態様において、前記表示部は、前記出力制御部が前記画像を出力する複数の出力先が設置されている場所の自装置に対する方向に対応する位置に、該出力先を識別する識別画像をそれぞれ表示し、前記受付部は、表示された前記識別画像に対する前記操作体の動作に基づいて、複数の出力先のうち一の出力先を選択する設定を受付けることを特徴とする。
【００１７】
本発明の請求項１３に係るプログラムは、画像を表示する表示部と、前記表示部を操作する操作体を検知する検知部と、を有するコンピュータを、前記検知部で検知した前記操作体の形状が出力指示を示す場合に、前記操作体を検知した位置から前記画像の出力領域を決定して制御する出力制御部、として機能させるためのプログラムである。
【発明の効果】
【００１８】
請求項１、１３に係る発明によれば、操作体の形状と位置とに基づいて、表示されている画像の全部または一部の領域を出力する指示を受付けることができる。
請求項２に係る発明によれば、利用者は、操作体の形状に基づいて、表示された画像を利用することで実行できる各々の機能を有した機器を操作することができる。
請求項３に係る発明によれば、利用者は表示された画像のうちの出力領域を把握することができる。
請求項４に係る発明によれば、利用者は出力領域の出力先となる機器の画像を把握することができる。
請求項５に係る発明によれば、出力指示の実行が完了したら、その実行内容に関わらず次の処理に表示部を使わせることができる。
請求項６に係る発明によれば、画像データの出力の指示をしたときに決定された領域をその決定の後に調整することができる。
請求項７に係る発明によれば、領域が決定された後に画像データの出力に関する設定をすることができる。
請求項８に係る発明によれば、利用者は決定された領域を把握することができる。
請求項９、１０に係る発明によれば、利用者は操作体の動作に基づいて行った設定を把握することができる。
請求項１１に係る発明によれば、利用者は出力領域の出力先を設定できる。
請求項１２に係る発明によれば、利用者は複数の出力先をそれらがそれぞれ設置されている方向に基づいて選択する設定をすることができる。
【図面の簡単な説明】
【００１９】
【図１】本実施形態に係る画像形成システム９の全体構成を示す図。
【図２】端末１の構成の一例を示す図。
【図３】表示部１４の上に重ねて配置される検知部１５１の一例を示す図。
【図４】端末１の機能的構成の一例を示す図。
【図５】端末１の動作の流れを示すフロー図。
【図６】操作体の形状が示す指示を説明するための図。
【図７】出力指示を実行する動作の流れを示すフロー図。
【図８】端末１が利用者に向けて報知する例を示す図。
【図９】受付けた設定を利用者に報知する例を示す図。
【図１０】検知された操作体の位置を説明するための図。
【図１１】利用者が操作体の接触する位置を動かしたときに調整される領域を説明するための図。
【図１２】変形例に係る出力先の設定を説明するための図。
【発明を実施するための形態】
【００２０】
１．実施形態
１−１．画像形成システムの全体構成
図１は、本実施形態に係る画像形成システム９の全体構成を示す図である。画像形成システム９は、ＬＡＮ（Local Area Network）を形成する通信回線２と、この通信回線２に接続された端末１および複数の画像処理装置３と、を有する。
【００２１】
図１に示す端末１は、通信回線２を介して画像処理装置３と接続するように構成された情報処理装置である。画像形成システム９が有する端末１は図１に示す通り１つであってもよいし、複数であってもよい。端末１は、通信回線２を介して画像処理装置３と接続して画像処理装置３に画像を示す画像データを出力する。
【００２２】
図１において画像形成システム９は、複数の画像処理装置３Ａ、３Ｂ、３Ｃを有する。これらを特に区別しない場合、単に「画像処理装置３」という。画像処理装置３は、端末１から出力された画像データを受取って何らかの処理をする装置である。この処理の内容は様々であり、例えば、受取った画像データに基づいて用紙等の媒体上に画像を形成する画像形成であってもよい。この場合、画像処理装置３は、例えば電子写真方式や熱転写方式、インクジェット方式等による画像形成を行う。
【００２３】
また、上述の処理の内容は、画像データを他の装置に送信する画像送信であってもよい。この場合、画像処理装置３は、図示しない公衆電話回線に接続し、この公衆電話回線を介して画像データを他の装置に送信するファクシミリなどである。
【００２４】
また、上述の処理の内容は、画像データを記憶装置に記憶させる処理であってもよい。図１に示す画像処理装置３Ａは、画像送信の機能を備えたファクシミリである。また、図１に示す画像処理装置３Ｂは、画像形成の機能を備えた画像形成装置である。また、図１に示す画像処理装置３Ｃは、画像データを記憶する機能を備えた記憶装置である。
【００２５】
１−２．端末の構成
図２は、端末１の構成の一例を示す図である。端末１は、制御部１１と、記憶部１２と、通信部１３と、表示部１４と、操作部１５とを有する。
【００２６】
制御部１１は、ＣＰＵ（Central Processing Unit）、ＲＯＭ（Read Only Memory）、ＲＡＭ（Random Access Memory）を有し、ＣＰＵがＲＯＭや記憶部１２に記憶されているコンピュータプログラム（以下、単にプログラムという）を読み出して実行することにより端末１の各部を制御する。
【００２７】
通信部１３は、例えばＩＥＥＥ８０２．１１に準拠した方式により、無線アクセスポイントを介して通信回線２に接続する通信回路である。通信部１３は、無線に限らず有線により通信回線２に接続してもよい。端末１は、通信部１３により通信回線２を介して画像処理装置３と情報を遣り取りする。
【００２８】
操作部１５は、各種の指示を入力するための操作ボタン等の操作子を備えており、利用者による操作を受付けてその操作内容に応じた信号を制御部１１に供給する。また、操作部１５は、利用者の指やスタイラスペンなどの操作体を検知する検知部１５１を有する。検知部１５１は、例えばタッチパネルである。
【００２９】
表示部１４は、液晶ディスプレイを有しており、制御部１１の制御の下、画像を表示する。表示部１４の液晶ディスプレイの上には、操作部１５の検知部１５１が重ねて配置されてもよい。
【００３０】
図３は、表示部１４の上に重ねて配置される検知部１５１の一例を示す図である。図３に示す検知部１５１は、表示部１４の液晶ディスプレイで表示された画像が利用者から見えるように透明な素材で構成される。この検知部１５１は、表示部１４に対して操作される操作体を検知し、少なくとも検知した操作体の形状および位置をそれぞれ示す情報を制御部１１に供給する。
【００３１】
記憶部１２は、ソリッドステートドライブ等の大容量の記憶手段であり、制御部１１のＣＰＵに読み込まれる各種のプログラムを記憶する。また、記憶部１２は、表示部１４に表示される画像を示す画像データを記憶する。
【００３２】
１−３．端末の機能的構成
図４は、端末１の機能的構成の一例を示す図である。端末１の制御部１１は、記憶部１２から読み出したプログラムを実行することで、図４に示す特定部１１０、決定部１１１、および出力部１１２として機能する。また、端末１の制御部１１は、このプログラムを実行することで、図４に破線で示す受付部１１４、および報知部１１５として機能してもよい。
【００３３】
特定部１１０は、検知部１５１が検知した操作体の形状を示す情報を検知部１５１から受取ると、この形状に基づいて利用者が操作体を用いて示した指示の内容を特定する。
【００３４】
決定部１１１は、検知部１５１が検知した操作体の位置を示す情報を検知部１５１から受取ると、この操作体の位置に基づいて表示部１４に表示されている画像における領域を決定する。
【００３５】
特定部１１０が特定した指示が、決定部１１１で決定された領域に含まれる画像を示す画像データの出力の指示である場合に、出力部１１２は、通信部１３を介して画像処理装置３にこの画像データを出力する。
【００３６】
受付部１１４は、決定部１１１により領域が決定された後に、検知部１５１により検知された操作体の動作に基づいて画像データの出力に関する設定を受付ける。出力に関する設定は、例えば、出力先の指定や、画像の出力に用いる色彩の設定、面付けなど媒体への画像形成を行う場合における媒体上の画像のレイアウトの設定、出力部数の設定などである。出力部１１２は、受付部１１４で受付けられた設定に応じて上述した画像データを出力する。なお、設定は、予め定めておいてもよい。
【００３７】
報知部１１５は、受付部１１４が受付けた設定を利用者に報知する。例えば利用者が出力に関する設定として出力先を設定した場合、報知部１１５は、この設定に応じてその出力先の外観を示す写真や型番、識別名などを表示部１４に表示したり、音声で再生したりすることで利用者に報知する。
【００３８】
１−４．端末の動作
図５は、端末１の動作の流れを示すフロー図である。端末１の制御部１１は、操作部１５の検知部１５１による操作体の検知があったか否かを判断し（ステップＳ１０１）、操作体の検知がない間は（ステップＳ１０１；ＮＯ）この判断を続ける。操作体の検知があったと判断すると（ステップＳ１０１；ＹＥＳ）、制御部１１は検知部１５１から供給される操作体の形状の情報に基づいて、利用者がした機能の実行指示を特定する（ステップＳ１０２）。
【００３９】
図６は、操作体の形状が示す指示を説明するための図である。端末１の表示部１４に対して利用者が操作体である右手Ｍ１および左手Ｍ２を操作すると、表示部１４に重ねて設けられた検知部１５１は右手Ｍ１および左手Ｍ２を検知して、これらの形状および位置を示す情報を制御部１１に供給する。これにより、端末１は利用者の指示の内容を特定する。
【００４０】
例えば、図６（ａ）に示す右手Ｍ１および左手Ｍ２は、それぞれの親指および人差し指で検知部１５１の４箇所に触れている。この４箇所は矩形の頂点であり、この頂点の位置により、端末１の制御部１１は操作体のそれぞれの形状を把握する。
【００４１】
この場合、制御部１１は、検知部１５１が検知した右手Ｍ１および左手Ｍ２のそれぞれの親指および人差し指の形状に基づき、利用者がした指示を、上記の矩形の領域に含まれる画像を示す画像データを出力する指示であると特定する。そして、制御部１１は上記の矩形の領域を示す破線の画像Ｇ１を右手Ｍ１および左手Ｍ２の触れる位置に応じて表示部１４に表示させる。
【００４２】
また、例えば、図６（ｂ）に示す右手Ｍ１および左手Ｍ２は、それぞれの親指および人差し指で検知部１５１の４箇所に触れているが、それぞれの親指と人差し指との距離が決められた距離よりも短い。この場合、制御部１１は、利用者がした指示を、表示部１４の中の指定した２つの位置の距離を測定する指示であると判断し、目盛りのついた定規の画像Ｇ２を右手Ｍ１および左手Ｍ２の触れる位置に応じて表示部１４に表示させる。
【００４３】
また、例えば、図６（ｃ）に示す右手Ｍ１は棒状のものを握る形状であり、親指を除く四本の指の背側で表示部１４に触れている。このとき検知部１５１は右手Ｍ１を検出するが、左手Ｍ２は検出しない。制御部１１は検知部１５１から供給される情報に基づいて、右手Ｍ１が虫眼鏡の柄を握っている様子を示していることを把握し、利用者の指示が虫眼鏡により表示部１４に表示されている画像を拡大して表示する指示であると特定する。
【００４４】
制御部１１は、虫眼鏡を示す画像Ｇ３を右手Ｍ１の触れる位置に応じて表示部１４に表示させ、この画像Ｇ３のうち虫眼鏡のレンズに相当する領域の画像を拡大して表示させる。
【００４５】
また、例えば、図６（ｄ）に示す右手Ｍ１は親指、人差し指、および中指で何かの道具を摘む形状であり、この３本の指で検知部１５１に触れている。このとき検知部１５１は右手Ｍ１を検出するが、左手Ｍ２は検出しない。制御部１１は検知部１５１から供給される情報に基づいて、右手Ｍ１が消しゴムやプラスチック字消し等の道具を摘んで表示部１４の画像をこすっている様子を示していることを把握し、利用者の指示が表示部１４に表示されている画像のうちこの道具が通過した領域を消去する指示であると特定する。
【００４６】
制御部１１は、上記の道具を示す画像Ｇ４を右手Ｍ１の触れる位置に応じて表示部１４に表示させ、この画像Ｇ４が通過した軌跡に沿って画像を消去する。
【００４７】
図５に示す動作において制御部１１は、特定した指示が画像データの出力の指示（出力指示という）であるか否かを判断し（ステップＳ１０３）、この指示が出力指示ではないと判断すると（ステップＳ１０３；ＮＯ）、出力指示以外であるその指示、すなわち、他の指示を実行する（ステップＳ１０４）。一方、特定した指示が出力指示であると判断すると（ステップＳ１０３；ＹＥＳ）、制御部１１は、出力指示を実行する（ステップＳ２００）。
【００４８】
図７は、図５に示すステップＳ２００の出力指示を実行する動作の流れを示すフロー図である。制御部１１は、検知部１５１が検知した操作体の位置に基づいて表示部１４に表示された画像における領域を決定し（ステップＳ２０１）、この領域に含まれる画像の出力指示を受付けたことを利用者に報知する（ステップＳ２０２）。そして、制御部１１は、受付けた出力指示が示す画像データの出力に関する設定を行うか否かを利用者に対して問い合わせ、その回答によりこれを判断する（ステップＳ２０３）。
【００４９】
図８は、端末１が利用者に向けて報知する例を示す図である。図８に示す通り、端末１の制御部１１は表示部１４のうち右手Ｍ１および左手Ｍ２の触れる位置に対応する位置に矩形の領域を示す破線の画像Ｇ１を表示させ、さらに、例えばこの画像Ｇ１の内部に、カメラを示す画像Ｇ５を５０％の透過率などで重ねて表示させる。この画像Ｇ５を表示することにより端末１は、利用者から受付けた指示を、画像Ｇ１で示した矩形の領域に含まれる画像を示す画像データを画像処理装置３に出力する指示として解釈していることを利用者に伝える。利用者は、この出力指示を意図していない場合、この画像Ｇ５を見て右手Ｍ１および左手Ｍ２の形状を変更すればよい。これにより制御部１１は、利用者が設定を行わないと判断し（ステップＳ２０３；ＮＯ）、処理を終了する。
【００５０】
一方、利用者が出力指示を意図しており、上記の画像データの出力に関する設定を行う意思が固まった場合、利用者は例えば右手Ｍ１および左手Ｍ２のそれぞれの親指および人差し指を今までよりも強く検知部１５１に押し付ける。検知部１５１には接触する操作体から受ける圧力を検知する機能が備えられている。そのため検知部１５１は、決められた圧力を超えて操作体が押し付けられると、その圧力未満で操作体が触れていた状態と区別して、その操作体を検知する。制御部１１は、検知部１５１から操作体から受ける圧力の増加を示す情報を受取ると、利用者が設定を行うと判断し（ステップＳ２０３；ＹＥＳ）、設定の受付けを行い（ステップＳ２０４）、受付けた設定を利用者に報知する（ステップＳ２０５）。
【００５１】
図９は、受付けた設定を利用者に報知する例を示す図である。例えば、端末１の制御部１１は、図９に示す通り、表示部１４のうち右手Ｍ１および左手Ｍ２の位置に対応する位置に出力先の外観を示す写真の画像Ｇ６を５０％の透過率などで重ねて表示させる。これにより端末１が画像データを出力する出力先の設定として、この画像Ｇ６で示される出力先を選択していることが利用者に報知される。
【００５２】
利用者がこの画像Ｇ６で示される出力先に画像データを出力させる意思があれば、例えば右手Ｍ１および左手Ｍ２のそれぞれの指を今までよりも強く検知部１５１に押し付ければよい。また、他の出力先を選択する意思があれば、利用者は、例えば右手Ｍ１および左手Ｍ２のいずれかの指を一度、検知部１５１から離した後、再び検知部１５１にその指を接触させればよい。利用者がこの出力先に画像データを出力させる意思がないのであれば、例えば右手Ｍ１および左手Ｍ２を決められた長さ以上の時間にわたって検知部１５１から離せばよい。
【００５３】
なお、出力が完了したり、出力指示がキャンセルされたりした場合、画像Ｇ６は表示部１４から消える。上述した通り、画像Ｇ５が画像Ｇ６へ変化することで、出力指示の実行がどの段階にあるのか、視覚的にわかり易くなる。利用者の設定により、画像Ｇ５から画像Ｇ６への遷移をなくしてもよく、固定的にしてもよい。
【００５４】
制御部１１は、利用者が出力に関する設定を終えて、この出力を実行する意思があるか否かを操作体の動作に基づいて判断する（ステップＳ２０６）。利用者が出力を実行する意思があると判断する場合（ステップＳ２０６；ＹＥＳ）、制御部１１は、設定された出力先に画像データを出力する処理を実行し（ステップＳ２０７）、その実行を利用者に報知して（ステップＳ２０８）、処理を終了する。一方、利用者が出力を実行する意思がないと判断する場合（ステップＳ２０６；ＮＯ）、制御部１１は、出力の中止を報知して（ステップＳ２０９）、処理を終了する。
【００５５】
以上、説明した通り、端末１は、この構成により、操作体の形状と位置に基づいて、表示されている画像の全部または一部を出力する指示を受付ける。端末１は、出力指示を受付けるとともに出力の対象となる領域の指定も受付けるため、利用者は出力の指示と出力対象の領域の指示とを別々に行う必要がない。
【００５６】
２．変形例
以上が実施形態の説明であるが、この実施形態の内容は以下のように変形し得る。また、以下の変形例を組み合わせてもよい。
【００５７】
２−１．変形例１
上述した実施形態において、端末１の制御部１１は、特定部１１０、決定部１１１、出力部１１２、受付部１１４、および報知部１１５として機能していたが、他にも図４に破線で示す調整部１１３として機能してもよい。
【００５８】
例えば、調整部１１３は、決定部１１１により領域が決定された後に、検知部１５１によって検知された操作体の動作に基づいてこの領域を調整する。例えば、利用者が出力指示をした右手Ｍ１および左手Ｍ２のそれぞれの検知部１５１に触れている指を動かすことで検知部１５１が操作体と接触している接触点が移動する。
【００５９】
制御部１１は、この接触点に基づいて出力の対象とする領域の大きさや形状を調整すればよい。領域は、例えば複数の接触点を頂点とする多角形であってもよいし、複数の接触点に内接または外接する円や楕円などであってもよい。この場合、出力部１１２は、調整部１１３によって調整された後の領域に含まれる画像を示す画像データを出力する。
【００６０】
図１０は、検知された操作体の位置を説明するための図である。図１０に示す通り、利用者が操作体である右手Ｍ１および左手Ｍ２で表示部１４に重ねられた検知部１５１に接触すると、検知部１５１は、右手Ｍ１および左手Ｍ２のそれぞれが接触する接触点の位置を検知する。例えば図１０に示す右手Ｍ１は人差し指で点Ｐ１１に接触し、親指で点Ｐ１２に接触している。そして図１０に示す左手Ｍ２は人差し指で点Ｐ２１に接触し、親指で点Ｐ２２に接触している。この場合、検知部１５１は、点Ｐ１１、点Ｐ１２、点Ｐ２２、および点Ｐ２１を結ぶ多角形（この場合、四角形）を、出力の対象とする領域として決定する。
【００６１】
そして、領域が決定された後に、利用者が操作体の接触する位置を動かすと、制御部１１は、この位置の変動に応じて出力の対象とする領域の大きさや形状を調整する。図１１は、利用者が操作体の接触する位置を動かしたときに調整される領域を説明するための図である。
【００６２】
例えば、利用者が操作体である右手Ｍ１の親指が検知部１５１に接触する点を点Ｐ１２から右下の点Ｐ１３に動かすと、制御部１１は図１１（ａ）に示すように、動かした先の位置を示す点Ｐ１３と、動かしていない点Ｐ１１、点Ｐ２１、および点Ｐ２２とに内接する矩形を新たな領域として調整する。そして、制御部１１は、この矩形を示す画像Ｇ１１を表示部１４に表示させる。
【００６３】
また、利用者が右手Ｍ１の親指の接触点を点Ｐ１２から右下の点Ｐ１３に動かすと、制御部１１は図１１（ｂ）に示すように、動かした先の位置を示す点Ｐ１３と、動かしていない点Ｐ１１、点Ｐ２１、および点Ｐ２２とをそれぞれ頂点とする多角形（この場合、四角形）を新たな領域として調整する。そして、制御部１１は、この多角形を示す画像Ｇ１２を表示部１４に表示させる。これにより、動かした接触点だけが突出した多角形が新たな領域として決定される。
【００６４】
また、制御部１１は図１１（ｃ）に示すように、複数の接触点、すなわち点Ｐ１１、点Ｐ１２、点Ｐ２２、および点Ｐ２１に内接する楕円を出力の対象とする領域として決定してもよい。この場合、制御部１１は、この楕円を示す画像Ｇ１０を表示部１４に表示させる。
【００６５】
そして、利用者が右手Ｍ１の親指の接触点を点Ｐ１２から右下の点Ｐ１３に動かすと、制御部１１は図１１（ｃ）に示すように、動かした先の位置を示す点Ｐ１３と、動かしていない点Ｐ１１、点Ｐ２１、および点Ｐ２２とに内接する楕円を新たな領域として調整する。制御部１１は、この楕円を示す画像Ｇ１３を表示部１４に表示させる。
【００６６】
２−２．変形例２
上述した実施形態において、検知部１５１は操作体が接触した位置を検知するタッチパネルであったが、操作体を検知する検知部１５１はこれに限られない。検知部１５１は、例えばカメラなど、操作体を撮像する撮像装置であってもよい。この場合、検知部１５１は表示部１４に重ねて設けられなくてもよく、例えば表示部１４の表示面を周縁部から囲むように設けられていてもよい。検知部１５１は、ＣＭＯＳイメージセンサやＣＣＤイメージセンサなどを備え、操作体を撮像したデータを生成してこのデータを解析することにより操作体の形状と位置を検知すればよい。検知部１５１は、複数の撮像装置を備えていてもよく、この場合、複数の視点で撮像された画像をそれぞれ解析して、操作体の表示部１４に対する立体空間上における姿勢を特定してもよい。
【００６７】
また、検知部１５１は、操作体に赤外線や超音波などを照射して反射したこれらを感知することで操作体の形状や位置を検知してもよい。検知部１５１は、表示部１４に対して決められた範囲内に近づいた操作体を検知する近接センサであってもよい。この近接センサには、電磁誘導方式、静電容量方式、静電気方式などの種々の方式のものが用いられる。
【００６８】
２−３．変形例３
上述した実施形態において、制御部１１は、領域が決定された後に画像データの出力に関する設定を受付ける受付部１１４として機能していたが、この設定を受付けなくてもよい。この場合、制御部１１は、出力先などについて予め決められた設定に従って画像データを出力すればよい。
【００６９】
２−４．変形例４
上述した実施形態において、端末１の制御部１１は、決定した領域を表示部１４に表示させて利用者に報知していたが、表示以外の方法でこの領域を報知してもよい。制御部１１は、例えば、音声によってこの領域を報知してもよい。また、制御部１１は、決定した領域を報知しなくてもよい。
【００７０】
２−５．変形例５
上述した実施形態において、端末１の制御部１１は、受付けた設定を利用者に報知していたが、報知しなくてもよい。
【００７１】
２−６．変形例６
上述した実施形態において、端末１の制御部１１は、出力の実行前に選択している１つの出力先を、その外観を示す画像を表示することで報知していたが、複数の出力先を表示して利用者に選択を促してもよい。
【００７２】
図１２は、変形例に係る出力先の設定を説明するための図である。端末１の制御部１１は、出力部１１２が画像データを出力する複数の出力先の設置場所を特定する。例えば、記憶部１２に、これらの設置場所が記憶されている場合、制御部１１は、記憶部１２からこれらの設置場所の情報を読み出す。また、複数の出力先の位置を定期的に確認するサーバ装置がある場合、制御部１１は、通信部１３および通信回線２を介してこのサーバ装置に問い合わせることにより、これらの設置場所をそれぞれ特定する。
【００７３】
また、端末１は衛星測位システムなどにより自身の位置を特定するとともに、加速度センサなどにより自身の姿勢を特定する。そして、端末１の制御部１１は、上述した複数の出力先の位置、自身の位置、および、自身の姿勢などに基づいて、自身に対するこれら複数の出力先の方向に対応する、表示部１４における位置を特定し、この位置に対応する出力先の写真などの識別画像を表示部１４に表示させる。
【００７４】
図１２に示す例では、表示部１４の表示画面における左側には図１に示した画像処理装置３Ａの外観を示す画像Ｇ７が、右側には図１に示した画像処理装置３Ｂの外観を示す画像Ｇ８が、それぞれ表示される。これは端末１から見て左側に画像処理装置３Ａが、右側に画像処理装置３Ｂがそれぞれ配置されていることを意味する。
【００７５】
表示部１４には、出力の対象として決定した矩形の領域を示す画像Ｇ１が表示されている。利用者は、例えば自身の右手Ｍ１の人差し指で検知部１５１のうち、画像Ｇ１が示す領域内に対応する位置に触れながら、この右手Ｍ１を破線で表す位置から実線で表す位置まで移動させる。これにより右手Ｍ１の人差し指と検知部１５１との接触点は矢印Ｄ方向に移動し、画像Ｇ８が表示されている領域に入る。
【００７６】
端末１の制御部１１は、受付部１１４として、検知部１５１が検知した右手Ｍ１（操作体）の動作に基づいて、画像処理装置３Ａおよび画像処理装置３Ｂのうち一の出力先を選択する設定を受付ける。この場合、受付部１１４は、上述した利用者の操作に基づいて、利用者が出力先として画像Ｇ８を識別画像とする画像処理装置３Ｂを選択する設定をしたと解釈してその旨の設定を記憶部１２に記憶する。
【００７７】
この構成によれば、出力先の識別画像が端末１から見た設置場所の方向に沿った位置に表示されるため、利用者は実際の出力先の配置に応じて操作体を動作させることで利用したい出力先を選択する。
【００７８】
２−７．変形例７
端末１の制御部１１によって実行されるプログラムは、磁気テープや磁気ディスク等の磁気記録媒体、光ディスク等の光記録媒体、光磁気記録媒体、半導体メモリ等の、コンピュータ装置が読み取り可能な記録媒体に記憶された状態で提供し得る。また、このプログラムを、インターネット等の通信回線経由でダウンロードさせることも可能である。なお、上記の制御部１１によって例示した制御手段としてはＣＰＵ以外にも種々の装置が適用される場合があり、例えば、専用のプロセッサ等が用いられる。
【符号の説明】
【００７９】
１…端末、１１…制御部、１１０…特定部、１１１…決定部、１１２…出力部、１１３…調整部、１１４…受付部、１１５…報知部、１２…記憶部、１３…通信部、１４…表示部、１５…操作部、１５１…検知部、２…通信回線、３…画像処理装置、９…画像形成システム。
【図１】
2018025992.tif 000003
【図２】
2018025992.tif 000004
【図３】
2018025992.tif 000005
【図４】
2018025992.tif 000006
【図５】
2018025992.tif 000007
【図６】
2018025992.tif 000008
【図７】
2018025992.tif 000009
【図８】
2018025992.tif 000010
【図９】
2018025992.tif 000011
【図１０】
2018025992.tif 000012
【図１１】
2018025992.tif 000013
【図１２】
2018025992.tif 000014
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
画像を表示する表示部と、
前記表示部を操作する操作体を検知する検知部と、
前記検知部で検知した前記操作体が前記画像を利用することで実行できる機能を有した機器を操作する形状であって、かつ、出力指示を示す場合に、前記操作体を検知した位置から前記画像の出力領域を決定し、前記機器の画像を前記表示部に表示させて該出力領域を制御する出力制御部と、
を有する情報処理装置。
【請求項２】
前記出力領域が決定された後に検知された前記操作体の動作に基づいて該出力領域を調整する調整部、を有し、
前記出力制御部は、調整された前記出力領域に含まれる前記画像を出力する
ことを特徴とする請求項１に記載の情報処理装置。
【請求項３】
前記出力領域が決定された後に検知された前記操作体の動作に基づいて前記画像の出力に関する設定を受付ける受付部、を有し、
前記出力制御部は、受付けられた前記設定に応じて前記画像を出力する
ことを特徴とする請求項１または２に記載の情報処理装置。
【請求項４】
前記表示部は、前記出力領域を表示する
ことを特徴とする請求項１から３のいずれか１項に記載の情報処理装置。
【請求項５】
前記出力制御部は、決定した前記出力領域の色を変化させて該出力領域を前記表示部に表示させる
ことを特徴とする請求項１から４のいずれか１項に記載の情報処理装置。
【請求項６】
前記設定を報知する報知部、
を有することを特徴とする請求項３に記載の情報処理装置。
【請求項７】
前記設定は、前記画像の前記出力領域の出力先を定める
ことを特徴とする請求項３に記載の情報処理装置。
【請求項８】
前記表示部は、前記出力制御部が前記画像を出力する複数の出力先が設置されている場所の自装置に対する方向に対応する位置に、該出力先を識別する識別画像をそれぞれ表示し、
前記受付部は、表示された前記識別画像に対する前記操作体の動作に基づいて、複数の出力先のうち一の出力先を選択する設定を受付ける
ことを特徴とする請求項３に記載の情報処理装置。
【請求項９】
前記機器の画像は、前記出力領域の出力先となる前記機器の画像と紐付いている
ことを特徴とする請求項１から８のいずれか１項に記載の情報処理装置。
【請求項１０】
前記機器の画像は、前記出力指示の実行が完了すると前記表示部から消える
ことを特徴とする請求項１から９のいずれか１項に記載の情報処理装置。
【請求項１１】
画像を表示する表示部と、
前記表示部を操作する操作体を検知する検知部と、
を有するコンピュータを、
前記検知部で検知した前記操作体が前記画像を利用することで実行できる機能を有した機器を操作する形状であって、かつ、出力指示を示す場合に、前記操作体を検知した位置から前記画像の出力領域を決定し、前記機器の画像を前記表示部に表示させて該出力領域を制御する出力制御部、
として機能させるためのプログラム。
【手続補正２】
【補正対象書類名】明細書
【補正対象項目名】０００５
【補正方法】変更
【補正の内容】
【０００５】
上述した課題を解決するため、本発明の請求項１に係る情報処理装置は、画像を表示する表示部と、前記表示部を操作する操作体を検知する検知部と、前記検知部で検知した前記操作体が前記画像を利用することで実行できる機能を有した機器を操作する形状であって、かつ、出力指示を示す場合に、前記操作体を検知した位置から前記画像の出力領域を決定し、前記機器の画像を前記表示部に表示させて該出力領域を制御する出力制御部と、を有する。
【手続補正３】
【補正対象書類名】明細書
【補正対象項目名】０００６
【補正方法】変更
【補正の内容】
【０００６】
本発明の請求項２に係る情報処理装置は、請求項１に記載の態様において、前記出力領域が決定された後に検知された前記操作体の動作に基づいて該出力領域を調整する調整部、を有し、前記出力制御部は、調整された前記出力領域に含まれる前記画像を出力することを特徴とする。
【手続補正４】
【補正対象書類名】明細書
【補正対象項目名】０００７
【補正方法】変更
【補正の内容】
【０００７】
本発明の請求項３に係る情報処理装置は、請求項１または２に記載の態様において、前記出力領域が決定された後に検知された前記操作体の動作に基づいて前記画像の出力に関する設定を受付ける受付部、を有し、前記出力制御部は、受付けられた前記設定に応じて前記画像を出力することを特徴とする
【手続補正５】
【補正対象書類名】明細書
【補正対象項目名】０００８
【補正方法】変更
【補正の内容】
【０００８】
本発明の請求項４に係る情報処理装置は、請求項１から３のいずれか１項に記載の態様において、前記表示部は、前記出力領域を表示する、ことを特徴とする。
【手続補正６】
【補正対象書類名】明細書
【補正対象項目名】０００９
【補正方法】変更
【補正の内容】
【０００９】
本発明の請求項５に係る情報処理装置は、請求項１から４のいずれか１項に記載の態様において、前記出力制御部は、決定した前記出力領域の色を変化させて該出力領域を前記表示部に表示させることを特徴とする。
【手続補正７】
【補正対象書類名】明細書
【補正対象項目名】００１０
【補正方法】変更
【補正の内容】
【００１０】
本発明の請求項６に係る情報処理装置は、請求項３に記載の態様において、前記設定を報知する報知部、を有することを特徴とする。
【手続補正８】
【補正対象書類名】明細書
【補正対象項目名】００１１
【補正方法】変更
【補正の内容】
【００１１】
本発明の請求項７に係る情報処理装置は、請求項３に記載の態様において、前記設定は、前記画像の前記出力領域の出力先を定めることを特徴とする。
【手続補正９】
【補正対象書類名】明細書
【補正対象項目名】００１２
【補正方法】変更
【補正の内容】
【００１２】
本発明の請求項８に係る情報処理装置は、請求項３に記載の態様において、前記表示部は、前記出力制御部が前記画像を出力する複数の出力先が設置されている場所の自装置に対する方向に対応する位置に、該出力先を識別する識別画像をそれぞれ表示し、
前記受付部は、表示された前記識別画像に対する前記操作体の動作に基づいて、複数の出力先のうち一の出力先を選択する設定を受付けることを特徴とする。
【手続補正１０】
【補正対象書類名】明細書
【補正対象項目名】００１３
【補正方法】変更
【補正の内容】
【００１３】
本発明の請求項９に係る画像形成装置は、請求項１から８のいずれか１項に記載の態様において、前記機器の画像は、前記出力領域の出力先となる前記機器の画像と紐付いていることを特徴とする。
【手続補正１１】
【補正対象書類名】明細書
【補正対象項目名】００１４
【補正方法】変更
【補正の内容】
【００１４】
本発明の請求項１０に係る情報処理装置は、請求項１から９のいずれか１項に記載の態様において、前記機器の画像は、前記出力指示の実行が完了すると前記表示部から消えることを特徴とする。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本発明の請求項１１に係るプログラムは、画像を表示する表示部と、前記表示部を操作する操作体を検知する検知部と、を有するコンピュータを、前記検知部で検知した前記操作が前記画像を利用することで実行できる機能を有した機器を操作する形状であって、かつ、出力指示を示す場合に、前記操作体を検知した位置から前記画像の出力領域を決定し、前記機器の画像を前記表示部に表示させて該出力領域を制御する出力制御部、として機能させるためのプログラムである。
【手続補正１５】
【補正対象書類名】明細書
【補正対象項目名】００１８
【補正方法】変更
【補正の内容】
【００１８】
請求項１、１１に係る発明によれば、操作体の形状と位置とに基づいて、表示されている画像の全部または一部の領域を出力する指示を受付けることができる。
請求項９に係る発明によれば、利用者は出力領域の出力先となる機器の画像を把握することができる。
請求項１０に係る発明によれば、出力指示の実行が完了したら、その実行内容に関わらず次の処理に表示部を使わせることができる。
請求項２に係る発明によれば、画像データの出力の指示をしたときに決定された領域をその決定の後に調整することができる。
請求項３に係る発明によれば、領域が決定された後に画像データの出力に関する設定をすることができる。
請求項４に係る発明によれば、利用者は決定された領域を把握することができる。
請求項５、６に係る発明によれば、利用者は操作体の動作に基づいて行った設定を把握することができる。
請求項７に係る発明によれば、利用者は出力領域の出力先を設定できる。
請求項８に係る発明によれば、利用者は複数の出力先をそれらがそれぞれ設置されている方向に基づいて選択する設定をすることができる。